【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】  音楽ファイルのデータベースを検索するための装置であって、入力手段と、比較手段と、出力手段とを含み、
入力手段は、一連の旋律的音程として節回しを含んでいる検索基準を入力するためのものであり、
比較手段は、前記一連の旋律的音程を、コンピュータ読み取り可能な複数の音楽ファイルに含まれる選択的部分と比較するためのものであり、
出力手段は、コンピュータ読み取り可能な前記複数の音楽ファイルに含まれる選択的部分と、前記検索基準と一致するリストを出力するためのものである
装置。
【請求項２】  請求項１に記載された装置であって、
前記入力手段はマイクロフォンを含み、前記マイクロフォンは、前記節回しが、利用者の歌唱、ハミングもしくは口笛により吹き込まれるためのものである
装置。
【請求項３】  請求項１に記載された装置であって、
前記入力手段は、節回しを演奏するためのＭＩＤＩキーボードを含む
装置。
【請求項４】  請求項１、請求項２または請求項３の何れかに記載された装置であって、
前記入力手段は、ピッチ認識手段を含み、ピッチ認識手段は、前記節回しとして入力された複数の音楽的ピッチ間におけるそれぞれの旋律的音程を特定するためのものである
装置。
【請求項５】  請求項１乃至４の何れかに記載された装置であって、
前記入力手段は、量子化手段を含み、前記量子化手段は、連続した２つの音楽的ピッチの間で、最も近い半音程、最も近い全音程、最も近い短３度音程、または、最も近い長３度音程を決定するためのものである
装置。
【請求項６】  請求項１乃至４の何れかに記載された装置であって、
前記入力手段は、量子化手段を含み、前記量子化手段は、連続した２つの音楽的ピッチに最も適合するような長音階、短音階もしくは他の音階を決定するためのものである
装置。
【請求項７】  請求項１乃至６の何れかに記載された装置であって、入力された前記一連の旋律的音程から一連のリズム間隔を決定し、かつ、前記一連のリズム間隔を更なる検索基準として用いるための手段を含む
装置。
【請求項８】  請求項１乃至７の何れかに記載された装置であって、テキスト情報を含んでいる更なる検索基準を入力するための手段を含む
装置。
【請求項９】  請求項１乃至８の何れかに記載された装置であって、
前記比較手段は、前記節回しに含まれる１つもしくは複数のセグメントを、コンピュータ読み取り可能な前記複数の音楽ファイルに含まれる前記選択的部分と比較するための手段を含んでおり、
前記出力手段は、あり得る一致を示す個々のセグメント及び／もしくは選択的部分の個数に基づいた見込み一致に基づく
装置。
【請求項１０】  請求項９に記載された装置であって、
前記節回しに含まれる前記セグメント、及び／もしくは、音楽ファイルに含まれる前記選択的部分は、重なり合う音符連なりとして定められる
装置。
【請求項１１】  請求項１乃至１０の何れかに記載された装置であって、
前記比較手段は、
（ａ）入力された一連の旋律的音程と、（ｂ）コンピュータ読み取り可能な前記複数の音楽ファイルに含まれる選択的部分とを、それぞれ、時間−ピッチ特性として表すための手段と、
前記（ａ）の特性と前記（ｂ）の特性との間の適合近接度を求め、これにより、入力された節回しと前記選択的部分との間の一致度を決定するための手段と
を含む
装置。
【請求項１２】  請求項１１に記載された装置であって、変換手段を含み、
前記変換手段は、適合近接度を求める前に、少なくとも１つの変換機能を、前記（ａ）の特性もしくは前記（ｂ）の特性の少なくとも１つに適用するためのものである
装置。
【請求項１３】  請求項１２に記載された装置であって、
前記少なくとも１つの変換機能は、
ピッチの変換、時間の変換、時間の基準化、グラフの相違部分に対する調整可能な時間基準化、グラフの相違部分に対する調整可能なピッチ変換、または、グラフから選択的線分を除去することによる変換の何れか１つを含む
装置。
【請求項１４】  請求項１１に記載された装置であって、
適合近接度を求めるための前記手段は、ｎのそれぞれの値について、入力されたｉ音符の音符連なりを、前記音楽ファイルに含まれるｎ音符の選択的部分と比較することにより、ｉ音符の音符連なりに対する誤りスコアを決定するための手段を含む
装置。
【請求項１５】  請求項１４に記載された装置であって、誤りスコアが最小化されるｎの値を決定するための手段を含む
装置。
【請求項１６】  請求項１５に記載された装置であって、誤りスコアが最小化されるまで、ｎの値を、初期値から変化させるための手段を含む
装置。
【請求項１７】  請求項１乃至１６の何れかに記載された装置であって、
前記比較手段は、
選択基準を適用することにより、コンピュータ読み取り可能な複数の音楽ファイルの各部分のうち、節回しを含む可能性のある部分を特定し、これにより、前記複数の音楽ファイルに含まれる選択的関連部分を特定する手段を含む
装置。
【請求項１８】  請求項１７に記載された装置であって、前記音楽ファイルに含まれる前記選択的関連部分は、索引として蓄積される
装置。
【請求項１９】  請求項１８に記載された装置であって、索引として蓄積された前記選択的関連部分は、テキストに符号化され、
前記入力手段は、前記一連の旋律的音程を、テキスト列に符号化するための手段を含み、
前記比較手段は、テキスト検索エンジンを含む
装置。
【請求項２０】  請求項１７に記載された装置であって、
コンピュータ読み取り可能な前記複数の音楽ファイルに含まれる前記選択的関連部分の位置は、前記複数の音楽ファイル内において、１つもしくは複数のタッグにより指し示される
装置。
【請求項２１】  音楽データベースについて索引を作成するための装置であって、
コンピュータ読み取り可能な複数の音楽ファイルの各部分のうち、節回しを含む可能性のある部分を特定するため、選択基準を適用することにより、前記複数の音楽ファイルに含まれる選択的関連部分を特定するための手段と、
前記複数の音楽ファイルの各部分のうち、前記選択的関連部分に一致する部分を特定するため、前記複数の音楽ファイルにタッグ付け処理を施すための手段とを
含む装置。
【請求項２２】  音楽データベースについて索引を作成するための装置であって、
コンピュータ読み取り可能な複数の音楽ファイルの各部分のうち、節回しを含む可能性のある部分を特定するため、選択基準を適用することにより、前記複数の音楽ファイルに含まれる選択的関連部分を特定するための手段と、
前記複数の音楽ファイルについての索引であって、前記選択的関連部分の代表情報を含んでいる索引を作成するための手段とを
含む装置。
【請求項２３】  音楽ファイルのデータベースを検索するための方法であって、
一連の旋律的音程として節回しを含んでいる検索基準を、入力として与え、
前記一連の旋律的音程を、コンピュータ読み取り可能な複数の音楽ファイルに含まれる選択的部分と比較し、
コンピュータ読み取り可能な前記複数の音楽ファイルに含まれる選択的部分と、前記検索基準と一致するリストを、出力として与える
方法。
【請求項２４】  コンピュータプログラム製品であって、コンピュータプログラムの符号情報を記録したコンピュータ読み取り可能な媒体を含んでおり、
前記コンピュータプログラムは、コンピュータに読み込まれたとき、請求項２３に記載された方法をコンピュータに実行させる
製品。
【請求項２５】  入力源からの一連の旋律的音程を決定するための装置であって、入力手段と、音符離散化手段とを含み、
入力手段は、節回しを表す波信号を入力するためのものであり、
音符離散化手段は、
前記波信号の周波数−時間特性を、個別の時間区間に分離することにより、一連の節回し要素を構成し、かつ、それぞれの節回し要素について時間区間に対する入力勾配を決定するための手段を含む
装置。
【請求項２６】  請求項２５に記載された装置であって、
それぞれの節回し要素の勾配を、「水平／略水平状態」、「斜め状態」及び「垂直／略垂直状態」の種類の１つに指定するための手段と、
隣り合い、かつ同じ種類の節回し要素を合体して複合要素を構成するための手段とを
含む装置。
【請求項２７】  請求項２６に記載された装置であって、
それぞれの「斜め状態」の節回し要素、または、それぞれの「斜め状態」の節回し要素に含まれる部分を、最も近い「水平状態」の節回し要素と等しい値の「水平状態」の節回し要素として再指定し、
これにより、「斜め状態」の節回し要素を除去するための手段を
含む装置。
【請求項２８】  請求項１に記載された装置であって、
前記節回しに含まれる複数のセグメントを、コンピュータ読み取り可能な前記複数の音楽ファイルに含まれる複数のセグメントと比較するための手段と、
それぞれのセグメントタイプについて一致個数を決定するための手段とを
含んでおり、
前記出力手段は、前記節回しと、前記音楽ファイルとの間において、セグメントタイプの個数の輪郭を比較することに基づいた見込み一致に基づく
装置。
【請求項２９】  請求項１１に記載された装置であって、
一致度を決定するための前記手段は、（ａ）と（ｂ）とを一致させるために要求される変換の回数を決定するための手段を含む
装置。
【請求項３０】  請求項１に記載された装置であって、
コンピュータ読み取り可能な前記音楽ファイル、及び／もしくは、入力される前記検索基準は、オーディオファイルを含んでいる
装置。
【請求項３１】  請求項３０に記載された装置であって、
前記比較手段は、
オーディオ信号においてステレオの左チャンネル及び右チャンネルに共通な構成要素を検出することにより、前記オーディオファイルのうち、節回しを含む可能性のある選択的関連部分を特定する手段を含む
装置。